(57)【要約】【課題】本発明は、ジョブの実行中でもジャム等の問題を起こすことなく、用紙補給が可能となる画像形成装置を提供する。【解決手段】その一部に他の給紙カセットから搬送される用紙が合流する搬送路が設けられている給紙カセットを用いた画像形成装置において、ジョブ実行中にユーザが用紙補給を行う場合、指定された給紙カセットが用紙補給可能か否かを判断する。そして、用紙補給が不可能なときはジョブを中断して、用紙補給を促す。【選択図】図８
2009292575.tif 000002
【特許請求の範囲】
【請求項１】
画像形成動作を行う画像形成装置において、
収納した用紙の給紙を行う給紙手段であって、他の給紙手段から給紙された用紙が搬送される搬送路を有する複数の給紙手段と、
前記複数の給紙手段のうちの１つを指定するための指定手段と、
画像形成動作の実行中に前記画像形成動作で使用中の給紙手段とは異なる他の給紙手段が前記指定手段で指定された場合、指定された給紙手段に用紙補給ができるか否かを判断する判断手段と、
前記判断手段により用紙補給ができないと判断された場合、実行中の画像形成動作で使用中の給紙手段からの給紙を中断し、前記指定手段により指定された給紙手段への用紙補給後に、中断された給紙を再開する制御手段とを備えることを特徴とする画像形成装置。
【請求項２】
画像形成動作を行う画像形成装置において、
収納した用紙の給紙を行う給紙手段であって、他の給紙手段から給紙された用紙が搬送される搬送路を有する複数の給紙手段と、
前記複数の給紙手段のうちの１つを指定するための指定手段と、
画像形成動作の実行中に前記画像形成動作で使用中の給紙手段とは異なる他の給紙手段が前記指定手段で指定された場合、前記指定手段により指定された給紙手段に用紙補給ができるか否かを判断する判断手段と、
前記判断手段により用紙補給ができないと判断された場合、給紙が可能な他の給紙手段に切り替え、用紙補給後に元の給紙手段からの給紙に戻す制御手段とを備えることを特徴とする画像形成装置。
【請求項３】
前記制御手段は、前記判断手段により用紙補給が可能と判断された場合、実行中の画像形成動作で使用中の給紙手段からの給紙を中断することなく、前記指定手段により指定された給紙手段への用紙補給をユーザに促すことを特徴とする請求項１または２記載の画像形成装置。
【請求項４】
前記判断手段は、前記指定手段により指定された給紙手段が、現在給紙している給紙手段であるかもしくは現在給紙している給紙手段よりも下流に位置する給紙手段であったときは、用紙補給ができないと判断することを特徴とする請求項１乃至３のいずれか１項に記載の画像形成装置。
【請求項５】
前記制御手段は、前記指定手段により指定された給紙手段に用紙補給ができないと判断された場合、給紙が可能な他の給紙手段として、その一部に他の給紙手段から搬送される用紙が合流しない給紙手段に切り替えることを特徴とする請求項２記載の画像形成装置。
【請求項６】
収納した用紙の給紙を行う給紙手段であって、他の給紙手段から給紙された用紙が搬送される搬送路を有する複数の給紙手段と、前記複数の給紙手段のうちの１つを指定するための指定手段とを備える画像形成装置であって画像形成動作を行う画像形成装置の給紙方法において、
画像形成動作の実行中に前記画像形成動作で使用中の給紙手段とは異なる他の給紙手段が前記指定手段で指定された場合、指定された給紙手段に用紙補給ができるか否かを判断する判断工程と、
前記判断工程にて用紙補給ができないと判断された場合、実行中の画像形成動作で使用中の給紙手段からの給紙を中断し、前記指定手段により指定された給紙手段への用紙補給後に、中断された給紙を再開する制御工程とを備えることを特徴とする給紙方法。
【請求項７】
収納した用紙の給紙を行う給紙手段であって、他の給紙手段から給紙された用紙が搬送される搬送路を有する複数の給紙手段と、前記複数の給紙手段のうちの１つを指定するための指定手段とを備える画像形成装置であって画像形成動作を行う画像形成装置の給紙方法において、
画像形成動作の実行中に前記画像形成動作で使用中の給紙手段とは異なる他の給紙手段が前記指定手段で指定された場合、指定された給紙手段に用紙補給ができるか否かを判断する判断工程と、
前記判断工程にて用紙補給ができないと判断された場合、給紙が可能な他の給紙手段に切り替え、用紙補給後に元の給紙手段からの給紙に戻す制御工程とを備えることを特徴とする給紙方法。
【発明の詳細な説明】
【技術分野】
【０００１】
本発明は、画像形成装置およびその給紙方法に関し、特に、給紙カセットの一部に他の給紙カセットから給紙される用紙が搬送される搬送路が設けられている画像形成装置およびその給紙方法に関する。
【背景技術】
【０００２】
従来、プリンタや複写機等の画像形成装置には、複数の給紙カセットを備え、給紙カセットの一部に他の給紙カセットから給紙される用紙が搬送される搬送路が設けられているものがある。このような画像形成装置において、画像形成動作の実行中に、給紙中の給紙カセットまたは給紙中の給紙カセットより用紙搬送路の下流に位置する給紙カセットがオープンされてしまうとジャムが発生してしまう。このような問題を防ぐために、給紙カセットを開けないようにロック機構を持っているものが存在する（例えば、特許文献１参照）。
【特許文献１】特開平０６−１８３５７９号公報
【発明の開示】
【発明が解決しようとする課題】
【０００３】
しかしながら、上記従来の給紙カセットを備える画像形成装置では、画像形成動作の実行中に他の給紙カセットの用紙を補給したいというユーザの要望に対して何ら対応されていない。また、大量の用紙を使用する画像形成ジョブを投入した後に、そのジョブの途中で用紙が足りなくならないように、ジョブの実行中に画像形成装置内の他の給紙カセットに用紙を補充したいといった要望がある。即ち、画像形成動作中に他の給紙カセットに用紙を補充できれば、使用中の給紙カセットの用紙がなくなっても、直ちに他の給紙カセットに切り替えることができ、画像形成動作の中断時間を短縮することができる。
【０００４】
また、多くの画像形成装置では、使用中の給紙カセットの用紙がなくなっても、同じサイズの用紙を収納した他の給紙カセットがあれば、自動的に給紙カセットが切り替わる自動給紙カセット切替機能を有している。従って、画像形成動作中に他の給紙カセットに用紙を補充できれば、使用中の給紙カセットの用紙がなくなっても、大量の用紙を使用する画像形成ジョブを中断させずに済む。
【０００５】
本発明は、給紙カセットの一部に他の給紙カセットから給紙される用紙が搬送される搬送路を設けた画像形成装置において、画像形成動作実行中でもジャム等を起こすことなく、用紙補給が可能となる画像形成装置およびその給紙方法を提供することを目的とする。
【課題を解決するための手段】
【０００６】
上記目的を達成するために、請求項１記載の画像形成装置は、画像形成動作を行う画像形成装置において、収納した用紙の給紙を行う給紙手段であって、他の給紙手段から給紙された用紙が搬送される搬送路を有する複数の給紙手段と、前記複数の給紙手段のうちの１つを指定するための指定手段と、画像形成動作の実行中に前記画像形成動作で使用中の給紙手段とは異なる他の給紙手段が前記指定手段で指定された場合、指定された給紙手段に用紙補給ができるか否かを判断する判断手段と、前記判断手段により用紙補給ができないと判断された場合、実行中の画像形成動作で使用中の給紙手段からの給紙を中断し、前記指定手段により指定された給紙手段への用紙補給後に、中断された給紙を再開する制御手段とを備えることを特徴とする。
【０００７】
上記目的を達成するために、請求項２記載の画像形成装置は、画像形成動作を行う画像形成装置において、収納した用紙の給紙を行う給紙手段であって、他の給紙手段から給紙された用紙が搬送される搬送路を有する複数の給紙手段と、前記複数の給紙手段のうちの１つを指定するための指定手段と、画像形成動作の実行中に前記画像形成動作で使用中の給紙手段とは異なる他の給紙手段が前記指定手段で指定された場合、前記指定手段により指定された給紙手段に用紙補給ができるか否かを判断する判断手段と、前記判断手段により用紙補給ができないと判断された場合、給紙が可能な他の給紙手段に切り替え、用紙補給後に元の給紙手段からの給紙に戻す制御手段とを備えることを特徴とする。
【０００８】
上記目的を達成するために、請求項６記載の給紙方法は、収納した用紙の給紙を行う給紙手段であって、他の給紙手段から給紙された用紙が搬送される搬送路を有する複数の給紙手段と、前記複数の給紙手段のうちの１つを指定するための指定手段とを備える画像形成装置であって画像形成動作を行う画像形成装置の給紙方法において、画像形成動作の実行中に前記画像形成動作で使用中の給紙手段とは異なる他の給紙手段が前記指定手段で指定された場合、指定された給紙手段に用紙補給ができるか否かを判断する判断工程と、前記判断工程にて用紙補給ができないと判断された場合、実行中の画像形成動作で使用中の給紙手段からの給紙を中断し、前記指定手段により指定された給紙手段への用紙補給後に、中断された給紙を再開する制御工程とを備えることを特徴とする。
【０００９】
上記目的を達成するために、請求項７記載の給紙方法は、収納した用紙の給紙を行う給紙手段であって、他の給紙手段から給紙された用紙が搬送される搬送路を有する複数の給紙手段と、前記複数の給紙手段のうちの１つを指定するための指定手段とを備える画像形成装置であって画像形成動作を行う画像形成装置の給紙方法において、画像形成動作の実行中に前記画像形成動作で使用中の給紙手段とは異なる他の給紙手段が前記指定手段で指定された場合、指定された給紙手段に用紙補給ができるか否かを判断する判断工程と、前記判断手段にて用紙補給ができないと判断された場合、給紙が可能な他の給紙手段に切り替え、用紙補給後に当該ジョブを元の給紙手段からの給紙に戻す制御工程とを備えることを特徴とする。
【発明の効果】
【００１０】
本発明によれば、給紙カセットの一部に他の給紙カセットから給紙される用紙が搬送される搬送路が設けられている画像形成装置において、画像形成動作の実行中でもジャム等の問題を起こすことなく、用紙補給が可能となる。
【発明を実施するための最良の形態】
【００１１】
以下、本発明の実施の形態を図面を参照して詳細に説明する。
【００１２】
［第１の実施形態］
図１は、本発明の第１の実施形態に係る画像形成装置の概略構造を示す縦断面図である。
【００１３】
図１において、本発明の実施形態に係る画像形成装置は、電子写真方式のプリンタ１と原稿の画像を読み取るリーダ２とを有する。プリンタ１は、大別して、画像形成部、給紙部、中間転写部、定着ユニット、操作部、および制御ユニット（不図示）から構成される。
【００１４】
画像形成部には、イエロー（Ｙ）、シアン（Ｃ）、マゼンタ（Ｍ）、ブラック（Ｋ）に対応する同一構成の４つのステーションが並設されている。各ステーションには、以下に説明する感光ドラム、ローラ帯電器、スキャナ、及び現像装置等を備える。像担持体としての感光ドラム１１ａ，１１ｂ，１１ｃ，１１ｄは、それらの中心軸で支持され、矢印方向に不図示の駆動モータによって回転駆動される。感光ドラム１１ａ〜１１ｄの外周面に対向してその回転方向にローラ帯電器１２ａ，１２ｂ，１２ｃ，１２ｄ、スキャナ１３ａ，１３ｂ，１３ｃ，１３ｄ、現像装置１４ａ，１４ｂ，１４ｃ，１４ｄが配置されている。
【００１５】
ローラ帯電器１２ａ〜１２ｄは、感光ドラム１１ａ〜１１ｄの表面に均一な帯電量の電荷を与える。スキャナ１３ａ〜１３ｄは、画像信号に応じて変調した、例えばレーザービームなどの光線を感光ドラム１１ａ〜１１ｄ上に照射して露光させることにより、そこに静電潜像を形成する。
【００１６】
現像装置１４ａ〜１４ｄは、イエロー、シアン、マゼンタ、ブラックといった４色の現像剤（トナー）をそれぞれ収納し、感光ドラム１１ａ〜１１ｄ上の静電潜像を顕像化する。顕像化された可視画像は、中間転写ベルト３０に転写される。
【００１７】
給紙部は、用紙（記録材）Ｐを収納する給紙カセット、用紙Ｐを搬送するためのローラ、用紙Ｐの通過を検知するためのセンサ、用紙Ｐの有無を検知するためのセンサ、及び用紙Ｐを搬送路に沿って搬送させるためのガイド（不図示）などから構成される。給紙カセット２１ａ，２１ｂ，２１ｃ，２１ｄには、用紙Ｐが収納される。
【００１８】
ピックアップローラ２２ａ，２２ｂ，２２ｃ，２２ｄは、用紙Ｐを一枚ずつ送り出す給紙ローラである。ピックアップローラ２２ａ〜２２ｄでは、複数枚の用紙Ｐが送り出されることがあるが、ローラ対２３ａ，２３ｂ，２３ｃ，２３ｄによって確実に一枚だけ分離される。ローラ対２３ａ〜２３ｄによって一枚だけ分離された用紙Ｐは、さらにローラ対２４ａ〜２４ｄ、ローラ対２６によって、レジストレーションローラ（以降レジストローラと称す）対２５まで搬送される。
【００１９】
手差しトレイ２７に収納された用紙Ｐは、ローラ２９によって一枚ずつ分離され、対２６によってレジストローラ対２５まで搬送される。さらに用紙Ｐは、ローラ対２６によってレジストローラ対２５まで搬送される。
【００２０】
給紙カセット２１ａ，２１ｂ，２１ｃには、それぞれ搬送パス８０ａ，８０ｂ，８０ｃが含まれている。各給紙カセットよりも下段（下流）に位置する給紙カセットから用紙が給紙される場合には、搬送パス８０ａ〜８０ｃは搬送路として使用される。搬送パス８０ａ〜８０ｃは給紙カセット２１ａ〜２１ｃ内に設けられているので、これら搬送パスが搬送路として利用されているときに、用紙補給を行うべくいずれかの給紙カセットがオープンされるとジャム等が発生する場合がある。給紙カセット開閉センサ８３ａ，８３ｂ，８３ｃ，８３ｄは、各給紙カセット２１ａ〜２１ｄが開かれている（引き出されている）か閉じられているかを検知する。
【００２１】
中間転写部は、中間転写ベルト３０と、駆動ローラ３２と、テンションローラ３３と、従動ローラ３４と、一次転写ローラ３５ａ〜３５ｄと、二次転写ローラ３６と、クリーニング装置５０と、廃トナーボックス５２から構成される。中間転写ベルト３０は、その材料として例えば、ＰＥＴ（ポリエチレンテレフタレート）やＰＶｄＦ（ポリフッ化ビニリデン）などが用いられる。中間転写ベルト３０は、駆動ローラ３２、テンションローラ３３、及び従動ローラ３４によって支持されている。
【００２２】
駆動ローラ３２は、中間転写ベルト３０に駆動を伝達する。駆動ローラ３２は、金属ローラの表面に数ｍｍ厚のゴム（ウレタンまたはクロロプレン）をコーティングしてベルトとのスリップを防いでいる。また、駆動ローラ３２はステッピングモータ（不図示）によって回転駆動される。テンションローラ３３は、ばね（不図示）の付勢によって中間転写ベルト３０に適度な張力を与える。
【００２３】
各感光ドラム１１ａ〜１１ｄと中間転写ベルト３０が対向する位置の、中間転写ベルト３０の裏には、トナー像を中間転写ベルト３０に転写するための高圧が印可されている一次転写ローラ３５ａ〜３５ｄが配置されている。従動ローラ３４に対向して二次転写ローラ３６が配置され、中間転写ベルト３０とのニップによって二次転写領域を形成する。
【００２４】
二次転写ローラ３６は、中間転写体に対して適度な圧力で加圧されている。中間転写ベルト３０上の二次転写領域の下流には、中間転写ベルト３０の画像形成面をクリーニングするためのクリーニング装置５０が配されている。クリーニング装置５０は、クリーナーブレード５１（材質としては、ポリウレタンゴムなどが用いられる）および廃トナーを収納する廃トナーボックス５２から成る。
【００２５】
定着ユニット４０は、内部にハロゲンヒーターなどの熱源を備えた定着ローラ４１ａとそのローラに加圧される４１ｂ（このローラにも熱源を備える場合もある）、上記ローラ対から排出されてきた用紙Ｐを搬送する内排紙ローラ４４から成る。
【００２６】
レジストローラ対２５まで搬送された用紙Ｐは、レジストローラ対２５よりも上流のローラの回転駆動を止めて一旦停止させ、画像形成部の画像形成タイミングに合わせてレジストローラ対２５を含む上流のローラの回転駆動が再開される。そして、用紙Ｐは、レジストローラ対２５から二次転写領域へ送り出される。二次転写領域において画像が転写され、定着ユニット４０において画像が定着された用紙Ｐは、内排紙ローラ４４を通過した後、反転ローラ７２ａ，７２ｂ，７２ｃの方向へ搬送され、フェイスダウン排紙トレイ３へ排出される。なお、用紙Ｐの搬送路には、用紙Ｐの通過を検知するために複数のセンサが配置されている。例えば、給紙リトライセンサ６４ａ，６４ｂ，６４ｃ，６４ｄ、レジストセンサ６７、内排紙センサ６８、フェイスダウン排紙センサ６９、両面プレレジセンサ７０等がある。
【００２７】
用紙Ｐを収納する給紙カセット２１ａ〜２１ｄには、用紙Ｐの有無を検知する用紙センサ８４ａ，８４ｂ，８４ｃ，８４ｄが配置され、手差しトレイ２７には手差しトレイ２７上の用紙Ｐの有無を検知する用紙センサ７６が配置されている。
【００２８】
なお、図１には示していないが、上記各機能部の動作を制御するための制御基板やモータドライブ基板などから成る制御ユニットが画像形成装置内に設けられている。
【００２９】
次に、プリンタ１において、給紙カセット２１ａから用紙Ｐを搬送する場合の動作を説明する。
【００３０】
不図示の制御ユニットから画像形成動作開始信号が発せられてから所定時間経過した後、給紙カセット２１ａに収納されている用紙Ｐがピックアップローラ２２ａにより一枚ずつ送り出される。そして、ローラ対２３ａによって一枚だけ分離された用紙Ｐが、ローラ対２４ａ、ローラ対２６を経由して、レジストローラ対２５まで搬送される。そのとき、レジストローラ対２５は、駆動停止しており、用紙Ｐの先端がレジストローラ対２５のニップ部に突き当たる。その後、上述した画像形成部が画像の形成を開始するタイミングに合わせて、レジストローラ対２５が回転駆動を始める。この回転駆動の開始タイミングは、用紙Ｐと画像形成部より中間転写ベルト上に転写されたトナー画像とが二次転写領域においてちょうど一致するように設定されている。
【００３１】
一方、画像形成部では、画像形成動作開始信号が発せられると、前述のプロセスにより感光ドラム１１ａ〜１１ｄ上に形成されたトナー画像が、高電圧が印加された一次転写ローラ３５ａ〜３５ｄによって一次転写領域にて中間転写ベルト３０に転写される。そこでは各ステーション間をトナー像が搬送される時間だけ遅延して画像形成が行われており、前画像の上に画像先端を合わせて次のトナー像が転写されることになる。
【００３２】
以下、同様の工程が繰り返され、４色のトナー像が中間転写ベルト３０上において転写される。その後、用紙Ｐが二次転写領域に進入し、中間転写ベルト３０に接触すると、用紙Ｐの通過タイミングに合わせて二次転写ローラ３６に、高電圧が印加される。そして、前述したプロセスにより中間転写ベルト３０上に形成された４色のトナー画像が用紙Ｐの表面に転写される。その後、用紙Ｐは、定着ローラ４１ａ，４１ｂのニップ部まで案内される。そして、定着ローラ４１ａ，４１ｂの熱およびニップの圧力によってトナー画像が用紙表面に定着される。その後、不図示の切り替えフラッパーの切り替え方向に応じて、フェイスダウン排紙トレイ３に排出される。
【００３３】
なお、プリンタ１は、リーダ２と協同してデジタル複写機として動作する。
【００３４】
図２は、図１の画像形成装置における各機能部の概略構成を示すブロック図である。
【００３５】
ＣＰＵ１７１は、画像形成装置の基本制御を行う（Central Processing Unit）である。ＣＰＵ１７１は、制御プログラムが書き込まれたＲＯＭ１７４、一時記憶手段としてのＲＡＭ１７５、及び入出力ポート（Ｉ／Ｏ）１７３にアドレスバス、データバスを介して接続されている。入出力ポート１７３には、感光ドラムを駆動する駆動モータやステッピングモータ、クラッチ等の各種負荷（不図示）と、上述した各種センサが接続されている。各種センサから送信された検知信号は、入出力ポート１７３を介してＣＰＵ１７１へ送信される。
【００３６】
ＣＰＵ１７１は、ＲＯＭ１７４に記憶されている制御プログラムに従って、入出力ポート１７３を介して順次入出力の制御を行い、画像形成部に画像形成動作を実行させる。また、ＣＰＵ１７１には、操作部１７２が接続されており、操作部１７２の表示器、キー入力を制御する。操作部１７２は、リーダ２の上面に配置されており、用紙Ｐの収納された給紙部（給紙カセット２１ａ〜２１ｄ、手差しトレイ２７）の選択の指定等が可能である。ユーザは、操作部１７２のキーを介して、画像形成動作モードやプリント出力モードの表示の切り替えをＣＰＵ１７１に指示する。ＣＰＵ１７１は、更に、プリンタ１の状態やキー入力により設定された動作モードの表示を行う。
【００３７】
また、ＣＰＵ１７１には、リーダ２の制御を行うリーダ制御部１０２、上述したプリンタ１の画像形成部等を含むプリンタ制御部１０５と、入力された画像信号を処理する画像処理部１７０と、処理された画像データを蓄積する画像メモリ部１０３が接続されている。
【００３８】
図３は、給紙カセット２１ｂが開けられた際のプリンタ１の状態例を示す縦断面図である。
【００３９】
図示のように、給紙カセットに用紙を補給する場合、例えば、給紙カセット２１ｂが開かれる（引き出される）と、搬送パス８０ａと搬送パス８０ｃとの間の搬送パス８０ｂが抜けて、用紙搬送路が寸断されてしまう。そのため、給紙カセット２１ｂが給紙中のときは当然ジャムが発生してしまう。また、給紙カセット２１ｃまたは給紙カセット２１ｄが給紙中であっても、給紙カセット２１ｂが開かれると、いずれもジャムが発生してしまう。
【００４０】
一方、給紙カセット２１ａが給紙中に給紙カセット２１ｂが開かれても、実行中のジョブはそのまま継続することが可能である。つまり、ジョブの実行中には、給紙中の給紙カセットよりも上流（図示例では下段方向）に位置する給紙カセットについては、ジョブを継続したまま給紙カセットを開けて用紙を補給することが可能である。しかしながら、給紙中の給紙カセットおよびそれよりも下流（図示例では上段方向）の給紙カセットについては、ジョブの実行中にこれらの給紙カセットが開かれるとジャムとなってしまうため、ジョブを継続したままでは用紙の補給が不可能である。
【００４１】
図４は、操作部１７２の外観と画面表示例を示す図であり、（ａ）は初期画面（待機状態での画面）、（ｂ）はコピージョブの実行中に表示される画面である。
【００４２】
図４（ａ）において、操作部１７２上には、種々の情報や操作キーを表示する表示器６１と、数字キー６２と、スタートキー６３とが配置されている。表示器６１は、タッチパネルディスプレイで構成されており、表示されたキーの入力手段として機能し、画像形成装置の各種設定を行うことが可能である。数字キー６２は、主に複写枚数等を設定するときに使われる。スタートキー６３は、ユーザがコピーを行うときに押されるキーであり、このキーが押されるとコピー動作が開始となる。
【００４３】
例えば、プリンタ１に５０部のコピージョブが投入されると、表示器６１の表示内容は図４（ｂ）に示す操作画面に切り替わる。この操作画面には、コピー部数を示す「５０」と、コピージョブが実行中であることを示す「コピー中です」と、用紙補給キー７１が表示される。用紙補給キー７１は、ジョブの実行中に用紙を補給するために用いられるキーである。この用紙補給キー７１は、ジョブが行われている間中、操作画面上表示され、ジョブが行われていないときには表示されない。ジョブの実行中でないときに給紙カセットを開いても、先に述べたようなジャム等は発生せず、用紙補給を行うことが可能である。そのため、用紙補給キー７１はジョブの実行中のみに表示される。
【００４４】
図５は、操作部１７２の外観と画面表示例を示す図であり、（ａ）は用紙補給キー７１が押されたときに表示される画面、（ｂ）は図５（ａ）の補給給紙段選択画面８１で三段目の給紙カセットが選択されたときに表示される画面である。
【００４５】
図４（ｂ）に示す操作画面上で用紙補給キー７１が押されると、表示器６１の表示内容は、図５（ａ）に示す補給給紙段選択画面８１に切り替わる。補給給紙段選択画面８１には、給紙段キー８１１，８１２，８１３，８１４と、画面と閉じて前の画面に戻るための閉じるキー８１５とが表示される。給紙段キー８１１〜８１４は、それぞれ一段目〜四段目の給紙カセット２１ａ〜２１ｄに対応している。給紙中の給紙カセットには、給紙段キー上に「給紙中」の表示がなされる。図示例では、二段目の給紙カセットから給紙されているときの画面であり、給紙段キー８１２上に「給紙中」と表示されている。ユーザは、補給給紙段選択画面８１上で、用紙を補給したい給紙カセットに対応する給紙段キーを選択する。選択された後の処理については後述する。
【００４６】
閉じるキー８１５が押されると、表示器６１の表示内容は、図４（ｂ）に示す操作画面に戻る。なお、プリンタ１のジョブがすべて終了すると、画像形成装置は、操作画面に「ジョブが終了しました」という画面表示をして、図４（ａ）に示す初期画面に戻る。
【００４７】
例えば、図５（ａ）に示す補給給紙段選択画面８１上で、三段目の給紙段キー８１３が選択されると、表示器６１の表示内容は、図５（ｂ）に示す画面に切り替わる。この場合には、給紙が二段目の給紙カセットからされているため、三段目の給紙カセットに用紙の補給がされても問題がない。そこで、図５（ｂ）に示すように、補給給紙段選択画面８１上に用紙の補給を促す表示９１（例えば、「補給してください」）が表示される。用紙が補給されても問題がないか否かは、用紙が補給される給紙カセットが、現在給紙中の給紙カセットよりも下流（下段）に位置する給紙カセットか否かで判断される。
【００４８】
図６は、操作部１７２の外観と画面表示例を示す図であり、（ａ）は図５（ａ）の補給給紙段選択画面８１で一段目の給紙段キー８１１が選択されたときに表示される画面である。図６（ｂ）は、図６（ａ）のジョブ中断指示画面１０１でＯＫキー１０１１が選択されたときに表示される画面である。
【００４９】
例えば、図５（ａ）に示す補給給紙段選択画面８１で一段目の給紙段キー８１１が選択されると、表示器６１の表示内容は、図６（ａ）に示すジョブ中断指示画面１０１に切り替わる。二段目の給紙カセット２１ｂが給紙中である場合、図５（ａ）、図５（ｂ）で説明したように、二段目の給紙カセット２１ｂより下流にある一段目の給紙カセット２１ａに用紙を補給すべく、給紙カセット２１ａをオープンしてしまうとジャムが発生する。そのため、ジョブの中断作業が必要となる。そこで、補給給紙段選択画面８１で選択された給紙カセットが、給紙中かまたは給紙中の給紙カセットよりも下流に位置する場合には、操作部１７２にジョブ中断指示画面１０１が表示される。
【００５０】
ジョブ中断指示画面１０１には、「一段目に用紙を補給したい場合、一度現在のジョブを中断して補給後に再開となります」というジョブを中断する旨の表示と共に、ＯＫキー１０１１、キャンセルキー１０１２が表示される。ここでキャンセルキー１０１２が押されると、何もせずに図５（ａ）の画面に戻る。一方、ＯＫキー１０１１が押されると、画像形成装置は現在のジョブの中止動作を開始し、表示器６１の表示内容は、図６（ｂ）に示すジョブ中断中画面１１１に切り替わる。
【００５１】
図６（ｂ）に示すジョブ中断中画面１１１には、「ジョブを一時中断中です  お待ちください」というジョブが中断中である旨の表示がされる。このジョブ中断中画面１１１は、プリンタ１内でジョブの中断が完了するまで表示される。ジョブの中断が完了すると、図７に示すジョブ中断画面１２１に表示が切り替わる。
【００５２】
ジョブ中断画面１２１には、「ジョブを中断しました  一段目の用紙を補給してください」という用紙補給を促す表示と共に、「補給せずに再開」キー１２１１が表示される。「補給せずに再開」キー１２１１が押されると、画像形成装置はジョブを再開し、表示器６１の表示内容は、図５（ａ）に示す補給給紙段選択画面８１に戻る。「補給せずに再開」キー１２１１が押されなかった場合、一段目の給紙カセット２１ａのオープン、そしてその後クローズが検知されると、画像形成装置はユーザが用紙を補給したと判断し、ジョブを再開する。
【００５３】
上述した画面表示と動作を行うことにより、ユーザはジャム等の問題を起こすことなく、所望の給紙カセットへの用紙補給が可能となる。
【００５４】
次に、ジョブ実行中における給紙カセットへの用紙補給に対するプリンタ１の一連の動作処理を図８を用いて説明する。
【００５５】
図８は、第１の実施形態におけるジョブ実行中の給紙カセットへの用紙補給に対するプリンタ１の動作処理を示すフローチャートである。本処理は、ジョブの実行中に、図４（ｂ）に示す操作画面において用紙補給キー７１が押された後に開始される処理である。
【００５６】
まず、ステップＳ１３００では、ＣＰＵ１７１は、操作部１７２に補給給紙段選択画面８１を表示する。次に、ＣＰＵ１７１は、補給給紙段選択画面８１上で用紙を補給する給紙カセットが指定されたか、つまり給紙段キー８１１〜８１４のいずれかが選択されたか否かを判断する（ステップＳ１３０１）。次に、ＣＰＵ１７１は、ステップＳ１３０１で給紙段キー８１１〜８１４のいずれも指定されていないと判断すると、閉じるキー８１５が押されたか否かを判断する（ステップＳ１３０２）。ここで閉じるキー８１５が押されたと判断した場合には本処理を終了する。
【００５７】
一方、ＣＰＵ１７１は、ステップＳ１３０２で閉じるキー８１５が押されていないと判断した場合には、ジョブが終了したか否かを判断する（ステップＳ１３１５）。ジョブが終了したか否かについては、ＣＰＵ１７１が、フェイスダウン排紙センサ６９をジョブの最終シートが通過したことを確認することで行われる。ＣＰＵ１７１は、ジョブが終了したと判断したときは、本処理を終了する。一方、ＣＰＵ１７１は、ステップＳ１３１５でジョブが終了していないと判断した場合にはステップＳ１３０１に戻る。
【００５８】
ＣＰＵ１７１は、給紙段キー８１１〜８１４のいずれかが指定されたと判断した場合には、指定された給紙カセットが現在給紙中の給紙カセットまたは給紙中の給紙カセットよりも上段（下流）に位置するものか否かを判断する（ステップＳ１３０３）。ここでは、例えば、ＣＰＵ１７１が、現在給紙中の給紙カセットをＲＡＭ１７５等に記憶しておき、指定された給紙カセットと比較することにより判断される。このとき、給紙カセットに予め位置に応じた値を設定しておき、指定された給紙カセットの値と、現在給紙中の給紙カセットの値と比較して、位置関係を判定するとよい。
【００５９】
ステップＳ１３０３の判断の結果、ＣＰＵ１７１は、指定された給紙カセットが、現在給紙中の給紙カセットでも給紙中の給紙カセットよりも上段（下流）に位置するものでもない（すなわち上流である）と判断した場合、ステップＳ１３０４へ移行する。ステップＳ１３０４では、ＣＰＵ１７１は、図５（ｂ）に示すように、補給給紙段選択画面８１上に用紙補給を促す表示９１を行い、ステップＳ１３０１に戻る。
【００６０】
ステップ１３０３において、ＣＰＵ１７１は、指定された給紙カセットが現在給紙中の給紙カセット又は給紙中の給紙カセットよりも上段（下流）に位置するものと判断した場合、図６（ａ）のジョブ中断指示画面１０１に切り替える（ステップＳ１３０５）。次に、ＣＰＵ１７１は、ジョブ中断指示画面１０１上でキャンセルキー１０１２が選択されたか否かを判断する（ステップＳ１３０６）。ＣＰＵ１７１は、ステップＳ１３０６でキャンセルキー１０１２が選択されたと判断した場合にはステップＳ１３０１に戻る。一方、ＣＰＵ１７１は、ステップＳ１３０６でキャンセルキー１０１２が選択されていないと判断した場合には、ジョブ中断指示画面１０１上のＯＫキー１０１１が押された否かを判断する（ステップＳ１３０７）。
【００６１】
ＣＰＵ１７１は、ステップＳ１３０７でＯＫキー１０１１が押されていないと判断した場合、ステップＳ１３０６へ戻る。一方。ステップＳ１３０７でＯＫキー１０１１が押されたと判断した場合には、ジョブの中断を開始すると共に、図６（ｂ）に示すジョブ中断中画面１１１に表示を切り替える（ステップＳ１３０８）。
【００６２】
次に、ＣＰＵ１７１は、ジョブの中断が終了したか否かを判断する（ステップＳ１３０９）。ステップＳ１３０９でジョブの中断が終了していないと判断した場合には、ジョブの中断が終了するまでステップＳ１３０９を繰り返す。ステップＳ１３０９でジョブの中断が終了したと判断した場合には、図７に示すジョブ中断画面１２１に表示を切り替え（ステップＳ１３１０）、ステップＳ１３１１に進む。
【００６３】
ステップＳ１３１１では、ＣＰＵ１７１は、ジョブ中断画面１２１上の「補給せずに再開」キー１２１１が押されたか否かを判断する。ここで、「補給せずに再開」キー１２１１が押されたと判断した場合には、ＣＰＵ１７１はジョブを再開させて（ステップＳ１３０４）、本処理を終了する。
【００６４】
一方、ＣＰＵ１７１は、ステップＳ１３１１で「補給せずに再開」キー１２１１が押されていないと判断した場合には、ステップＳ１３０１で指定された給紙カセットが開けられたか否かを判断する（ステップＳ１３１２）。ＣＰＵ１７１は、給紙カセット開閉センサ８３ａ〜８３ｄによる検知結果に基づいて、給紙カセット２１ａ〜２１ｄの開閉を判断する。
【００６５】
次に、ＣＰＵ１７１は、いずれの給紙カセットも開けられていないと判断した場合にはステップＳ１３１１に戻る。一方、ステップＳ１３１２で給紙カセットが開けられたと判断した場合、ＣＰＵ１７１は、オープンされた給紙カセットが閉じたか否かを判断する（ステップＳ１３１３）。ここでも、ＣＰＵ１７１は、給紙カセット開閉センサ８３ａ〜８３ｄによる検知結果に基づいて、給紙カセット２１ａ〜２１ｄの開閉を判断する。
【００６６】
ＣＰＵ１７１は、ステップＳ１３１３で給紙カセットが閉じていないと判断した場合にはステップＳ１３１３に戻り、給紙カセットが閉じられるまで繰り返す。ＣＰＵ１７１は、ステップＳ１３１３で給紙カセットが閉じられたと判断した場合には、ステップＳ１３１４に移行し、ジョブを再開させて、本処理を終了する。
【００６７】
上記実施形態によれば、その一部に他の給紙カセットから搬送される用紙が合流する搬送路が設けられている給紙カセットを用いた画像形成装置において、ジョブ実行中にユーザが用紙補給を行う場合、指定された給紙カセットが用紙補給可能か否かを判断する。そして、用紙補給が不可能なときはジョブを中断して、用紙補給を促す。これにより、ジョブの実行中であってもジャム等の問題を起こすことなく、用紙補給が可能となる。
【００６８】
［第２の実施形態］
本発明の第２の実施形態に係る画像形成装置は、その基本的な構成が上記第１の実施形態に係る画像形成装置と同様であり、第１の実施の形態と同様の部分については、同一の符号を用いてその説明を省略する。以下に、上記第１の実施の形態と異なる点のみを説明する。
【００６９】
図９は、本発明の第２の実施形態に係る画像形成装置の操作部１７２に表示される画面表示例を示す図である。図９（ａ）は、図５（ａ）の補給給紙段選択画面８１の一段目の給紙段キー８１１が選択されたときの画面を示す図、図９（ｂ）は図９（ａ）の手差し給紙画面１４１でＯＫキーが選択されたときに表示される画面を示す図である。
【００７０】
図５（ａ）に示す補給給紙段選択画面８１上で一段目の給紙段キー８１１が選択された場合、表示器６１の表示内容は、図９（ａ）に示す手差し給紙画面１４１に切り替わる。手差し給紙画面１４１には、手差しトレイ２７に現在給紙中の用紙と同サイズの用紙を置くように促す表示と、ＯＫキー１４１１と、キャンセルキー１４１２とが表示される。この手差し給紙画面１４１上でキャンセルキー１４１２が押された場合には、表示器６１の表示内容は、図５（ａ）の補給給紙段選択画面８１に戻る。一方、ＯＫキー１４１１が押され、手差しトレイ２７に用紙があると判断した場合には、現在実行中のジョブの給紙段は、二段目の給紙カセット２１ｂから手差しトレイ２７に切り替わり、表示器６１の表示内容は、図９（ｂ）に示す用紙補給画面１５１に切り替わる。ＯＫキー１４１１が押されても、手差しトレイ２７上に用紙を検知できなかった場合には、表示器６１の表示内容は、手差し給紙画面１４１のままとなる。手差しトレイ２７上の用紙の検知は、用紙センサ７６により行われる。用紙センサ７６による検知結果は、ＣＰＵ１７１に通知される。
【００７１】
用紙補給画面１５１には、用紙を補給するように促す表示と共に、「補給せずに元の給紙に戻す」キー１５１１が表示される。「補給せずに元の給紙に戻す」キー１５１１が押されたときは、給紙段が手差しトレイ２７から元の給紙カセット２１ｂからの給紙に戻される。
【００７２】
操作部１７２に用紙補給画面１５１が表示された状態において、給紙カセット開閉センサ８３ａ〜８３ｄが給紙カセット２１ａ〜２１ｄのいずれかが開かれたことが検知されると、用紙の補給が行われていることが判断される。そして、給紙段が手差しトレイ２７からユーザが用紙を補給した給紙カセット、ここでは二段目の給紙カセット２１ｂによる給紙に戻され、表示器６１の表示内容は、図１０に示す給紙段変更画面１６１に切り替わる。そして、開かれた給紙カセットが閉じられたことが給紙カセット開閉センサにより検知されて、二段目の給紙カセットからの給紙に戻した旨が表示され、表示器６１の表示内容は、図５（ａ）の補給給紙段選択画面８１に戻る。
【００７３】
上述した画像表示と動作を行うことにより、ユーザはジャム等の問題を起こすことなくかつジョブを中断せずに、所望の給紙カセットへの用紙補給が可能となる。
【００７４】
次に、ジョブ実行中における給紙カセットへの用紙補給に対するプリンタ１の一連の動作処理を図１１を用いて説明する。
【００７５】
図１１は、第２の実施形態におけるジョブ実行中の給紙カセットへの用紙補給に対するプリンタ１の動作処理を示すフローチャートである。本処理は、ジョブの実行中に、図４（ｂ）に示す操作画面において用紙補給キー７１が押された後に開始される処理である。
【００７６】
まず、ステップＳ１７００では、ＣＰＵ１７１は、操作部１７２に補給給紙段選択画面８１を表示する。次に、ＣＰＵ１７１は、補給給紙段選択画面８１上で用紙を補給する給紙カセットが指定されたか、つまり給紙段キー８１１〜８１４のいずれかが選択されたか否かを判断する（ステップＳ１７０１）。次に、ＣＰＵ１７１は、ステップＳ１７０１で給紙段キー８１１〜８１４のいずれも指定されていないと判断すると、閉じるキー８１５が押されたか否かを判断する（ステップＳ１７０２）。ここで閉じるキー８１５が押されたと判断した場合には本処理を終了する。
【００７７】
一方、ＣＰＵ１７１は、ステップＳ１７０２で閉じるキー８１５が押されていないと判断した場合には、ジョブが終了したか否かを判断する（ステップＳ１７１６）。ＣＰＵ１７１は、ジョブが終了したと判断したときは、本処理を終了する。一方、ＣＰＵ１７１は、ステップＳ１７１６でジョブが終了していないと判断した場合にはステップＳ１７０１に戻る。
【００７８】
ＣＰＵ１７１は、給紙段キー８１１〜８１４のいずれかが指定されたと判断した場合には、指定された給紙カセットが現在給紙中の給紙カセットまたは給紙中の給紙カセットよりも上段（下流）に位置するものか否かを判断する（ステップＳ１７０３）。
【００７９】
ステップＳ１７０３の判断の結果、ＣＰＵ１７１は、指定された給紙カセットが、現在の給紙中の給紙カセットでも給紙中の給紙カセットよりも上段（下流）に位置するものでもない（すなわち上流である）と判断した場合、ステップＳ１７０４へ移行する。ステップＳ１７０４では、ＣＰＵ１７１は、図５（ｂ）に示すように、補給給紙段選択画面８１上に用紙補給を促す表示９１を行い、ステップＳ１７０１に戻る。
【００８０】
ステップ１７０３において、ＣＰＵ１７１は、指定された給紙カセットが現在給紙中の給紙カセットまたは給紙中の給紙カセットよりも上段（下流）に位置するものであると判断した場合、図９（ａ）の手差し給紙画面１４１に切り替える（ステップＳ１７０５）。次に、ＣＰＵ１７１は、手差し給紙画面１４１上でキャンセルキー１４１２が選択されたか否かを判断する（ステップＳ１７０６）。ＣＰＵ１７１は、ステップＳ１７０６でキャンセルキー１４１２が選択されたと判断した場合にはステップＳ１７０１に戻る。一方、ＣＰＵ１７１は、ステップＳ１７０６でキャンセルキー１４１２が選択されていないと判断した場合には、手差し給紙画面１４１上のＯＫキー１４１１が押されたか否かを判断する（ステップＳ１７０７）。
【００８１】
ＣＰＵ１７１は、ステップＳ１７０７でＯＫキー１４１１が押されていないと判断した場合、ステップＳ１７０６に戻る。一方、ステップＳ１７０７でＯＫキーが押されたと判断した場合には、ＣＰＵ１７１は、手差しトレイ２７に用紙があるか否かを判断する（ステップＳ１７０８）。ＣＰＵ１７１は、用紙センサ７６による検知結果に基づいて、手差しトレイ２７上に用紙があるか否かを判断する。
【００８２】
ＣＰＵ１７１は、ステップＳ１７０８で手差しトレイ２７に用紙がないと判断した場合にはステップＳ１７０６に戻る。一方、ステップＳ１７０８で手差しトレイ２７に用紙があると判断した場合には、ＣＰＵ１７１は、ステップＳ１７０９でジョブを手差しトレイ２７による給紙に切り替える。
【００８３】
次に、ＣＰＵ１７１は、ステップＳ１７１０で図９（ｂ）に示す用紙補給画面１５１に表示を切り替え、ステップＳ１７１１に進む。ステップ１７１１では、ＣＰＵ１７１は、用紙補給画面１５１上で「補給せずに元の給紙に戻す」キー１５１１が押されたか否かを判断する。「補給せずに元の給紙に戻す」キー１５１１が押されていた場合にはステップＳ１７１４に進み、給紙段を元の給紙カセットに戻す。一方、ＣＰＵ１７１は、ステップＳ１７１１で「補給せずに元の給紙に戻す」キー１５１１が押されていないと判断した場合には、ステップ１７０１で指定された給紙カセットが開けられたか否かを判断する（ステップＳ１７１２）。ここでも、上記第１の実施形態における図８のステップＳ１３１２と同様に、ＣＰＵ１７１は、給紙カセット開閉センサ８３ａ〜８３ｄによる検知結果に基づいて、給紙カセット２１ａ〜２１ｄの開閉を判断する。
【００８４】
次に、ＣＰＵ１７１は、いずれの給紙カセットも開けられていないと判断した場合にはステップＳ１７１１に戻る。一方、ステップＳ１７１２で給紙カセットが開けられたと判断した場合、ＣＰＵ１７１は、オープンされた給紙カセットが閉じたか否かを判断する（ステップＳ１７１３）。ここでも、ＣＰＵ１７１は、給紙カセット開閉センサ８３ａ〜８３ｄによる検知結果に基づいて、給紙カセット２１ａ〜２１ｄの開閉を判断する。
【００８５】
ＣＰＵ１７１は、ステップＳ１７１３で給紙カセットが閉じていないと判断した場合にはステップＳ１７１３に戻り、給紙カセットが閉じられるまで繰り返す。ＣＰＵ１７１は、ステップＳ１７１３で給紙カセットが閉じられたと判断した場合には、給紙段を元の給紙カセットに戻し（ステップＳ１７１４）、図１０の給紙段変更画面１６１に表示を切り替えて（ステップＳ１７１５）、本処理を終了する。
【００８６】
上記実施形態によれば、その一部に他の給紙カセットから搬送される用紙が合流する搬送路が設けられている給紙カセットを用いた画像形成装置において、ジョブ実行中にユーザが用紙補給を行う場合、指定された給紙カセットが用紙補給可能か否かを判断する。そして、用紙補給が不可能なときは手差しトレイからの給紙に一時的に切り替え、用紙補給後に元の給紙カセットからの給紙に戻す。これにより、給紙カセットの一部に他の給紙カセットから給紙される用紙が搬送される搬送路が設けられている画像形成装置において、画像形成動作の実行中でもジャム等の問題を起こすことなくかつジョブを中断せずに、用紙補給が可能となる。
【００８７】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコードおよび該プログラムコードを記憶した記憶媒体は本発明を構成することになる。
【００８８】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００８９】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９０】
さらに、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【００９１】
上記実施の形態では、プリンタ１の印刷方式を電子写真方式とした場合を例に挙げたが、本発明は、電子写真方式に限定されるものではない。インクジェット方式、熱転写方式、感熱方式、静電方式、放電破壊方式など各種印刷方式に適用することができる。上記プログラムの形態は、オブジェクトコード、インタプリタにより実行されるプログラムコード、ＯＳ（オペレーティングシステム）に供給されるスクリプトデータ等の形態から成ってもよい。
【図面の簡単な説明】
【００９２】
【図１】本発明の第１の実施形態に係る画像形成装置の概略構造を示す縦断面図である。
【図２】図１のプリンタにおける機能部の概略構成を示すブロック図である。
【図３】給紙カセットが開けられた際のプリンタ１の状態例を示す縦断面図である。
【図４】操作部の外観と画面表示例を示す図であり、（ａ）は初期画面、（ｂ）はコピージョブの実行中に表示される画面である。
【図５】操作部の外観と画面表示例を示す図であり、（ａ）は用紙補給キーが押されたときに表示される画面、（ｂ）は図５（ａ）の補給給紙段選択画面で三段目の給紙カセットが選択されたときに表示される画面である。
【図６】操作部の外観と画面表示例を示す図であり、（ａ）は図５（ａ）の補給給紙段選択画面で一段目の給紙段キーが選択されたときに表示される画面、（ｂ）は図６（ａ）のジョブ中断指示画面でＯＫキーが選択されたときに表示される画面である。
【図７】ジョブ中断時に操作部に表示される画面表示例を示す図である。
【図８】第１の実施形態におけるジョブ実行中の給紙カセットへの用紙補給に対するプリンタの動作処理を示すフローチャートである。
【図９】本発明の第２の実施形態に係る画像形成装置の操作部に表示される画面表示例を示す図であり、（ａ）は図５（ａ）の補給給紙段選択画面の一段目の給紙段キーが選択されたときの画面、（ｂ）は図９（ａ）の手差し給紙画面でＯＫキーが選択されたときに表示される画面である。
【図１０】給紙カセット開閉センサにより開閉を検知された際に表示する画面表示例を示す図である。
【図１１】第２の実施形態におけるジョブ実行中の給紙カセットへの用紙補給に対するプリンタの動作処理を示すフローチャートである。
【符号の説明】
【００９３】
１  プリンタ
２１ａ，２１ｂ，２１ｃ，２１ｄ  給紙カセット
６１  表示器
８１  補給給紙段選択画面
８３ａ，８３ｂ，８３ｃ，８３ｄ  給紙カセット開閉センサ
１０５  プリンタ制御部
１７１  ＣＰＵ
１７２  操作部
１７３  入出力ポート（Ｉ／Ｏ）
【図１】
2009292575.tif 000003
【図２】
2009292575.tif 000004
【図３】
2009292575.tif 000005
【図４】
2009292575.tif 000006
【図５】
2009292575.tif 000007
【図６】
2009292575.tif 000008
【図７】
2009292575.tif 000009
【図８】
2009292575.tif 000010
【図９】
2009292575.tif 000011
【図１０】
2009292575.tif 000012
【図１１】
2009292575.tif 000013